(57)【要約】【課題】複数の電力供給元からの電力を受け取る事が可能な電子機器において、最適なタイムアウト時間を決める電子機器を提供すること。【解決手段】電子機器は複数の電力供給元から電力を受け取り、電力を受け取る受電手段と２次電池の充電を制御する充電制御手段と前記受電手段で受け取った電源の種類を判別する電源判別手段と充電時間を測定するカウンタと所定のカウンタ値で充電を強制的に終了する為のタイムアウト時間を決定する決定手段とを備え、決定手段は電源判別手段によって判別された電力供給元の種類と充電状態又は／且つ受電状態に応じてタイムアウト時間を決定する。【選択図】図２
2017121099.tif 000002
【特許請求の範囲】
【請求項１】
複数の電力供給元から電力を受け取る電子機器であって、
電力を受け取る受電手段と、
２次電池の充電を制御する充電制御手段と、
前記受電手段で受け取った電源の種類を判別する電源判別手段と、
充電時間を測定するカウンタと、
所定のカウンタ値で充電を強制的に終了する為のタイムアウト時間を決定する決定手段と、を備え、
前記決定手段は前記電源判別手段によって判別された電力供給元の種類と充電状態又は／且つ受電状態に応じてタイムアウト時間を決定することを特徴とする電子機器。
【請求項２】
更に、受電した電力を検出する受電電力検出手段を備え、
前記電源判別手段は電力供給元が非接触な電力源であると判断すると、
前記決定手段は、前記受電電力検出手段により検出した電力量に応じてタイムアウト時間を決定することを特徴とする請求項１に記載の電子機器。
【請求項３】
前記受電電力検出手段で検出した電力量とは、検出した電力と時間の積分値であることを特徴とする請求項２に記載の電子機器。
【請求項４】
更に、非接触で電力供給元と通信を行う通信手段を備え前記電源判別手段が電力供給元は非接触な電力源であると判断すると、前記決定手段は、非接触前記通信手段により通信を行っている時間と電力を受電した時間に応じてタイムアウト時間を決定することを特徴とする請求項３に記載の電子機器。
【請求項５】
更に、充電している電力を検出する充電電力検出手段を備え、前記決定手段は、前記充電電力検出手段により２次電池に充電した電力量に応じてタイムイムアウト時間を決定することを特徴とする請求項１に記載の電子機器。
【請求項６】
更に、非接触で電力供給元と通信を行う通信手段とを備え、前記電源判別手段は電力供給元が非接触な電力源であると判断すると、前記決定手段は、前記充電電力検出手段により検出した電力量に応じてタイムアウト時間を決定することを特徴とする請求項５に記載の電子機器。
【請求項７】
前記充電電力検出手段で検出した電力量とは充電電力と時間の積分値であることを特徴とする請求項６に記載の電子機器。
【請求項８】
更に、非接触で電力供給元と通信を行う通信手段を備え、前記電源判別手段が電力供給元は非接触な電力源であると判断すると、前記決定手段は、非接触前記通信手段により通信を行っている時間と充電電力量に応じてタイムアウト時間を決定することを特徴とする請求項６に記載の電子機器。
【請求項９】
更に、２次電池の放電電力を検出する放電電力検出手段を備え、前記決定手段は、前記放電電力検出手段が検出した放電電力に応じてタイムアウト時間を延ばすことを特徴とする請求項１乃至請求項８の何れか一項に記載の電子機器。
【請求項１０】
前記充電制御手段が充電中に一時的に充電動作を停止した場合、前記カウンタは前記充電制御手段が２次電池に充電していない間はカウントを一時的に停止することを特徴とする請求項１乃至請求項８の何れか一項に記載の電子機器。
【請求項１１】
充電中に電子機器が動作し、受電した電力では充電と動作の電力を同時に行えない場合、前記充電制御手段は充電電力を減らし、電子機器が動作できるように電力配分をし、前記決定手段は、前記電力配分を行った際、減少した充電電力量に応じてタイムアウト時間を延ばすことを特徴とする請求項７に記載の電子機器。
【請求項１２】
充電中に電子機器が動作し、受電した電力では充電と動作の電力を同時に行えない場合、前記充電制御手段は充電電力を減らし、電子機器が動作できるように電力配分をし、前記決定手段は、前記電力配分を行った際、前記カウンタは前記電力配分を行っている間はカウントを一時的に停止することを特徴とする請求項７に記載の電子機器。
【発明の詳細な説明】
【技術分野】
【０００１】
本発明は、電子機器に関し、特に無線と有線を含む複数の電力供給元から電力を受け取ることができる電子機器の充電に関する。
【背景技術】
【０００２】
近年、コネクタで物理的に接続することなく無線で電力を出力するための１次コイルを持つ給電機器と、給電機器から供給される電力を無線で受け付けるための２次コイルを持つ電子機器とを含むシステムが知られている。
【０００３】
このようなシステムにおいて、１次コイルと２次コイルを用いた電力の授受以外にも、電子機器は別の電力供給元を備え、電力供給元を切り替えることが知られている。
【０００４】
また２次電池の充電を行う際に所定の充電時間を超えるとタイムアウトして充電動作をやめることは一般的であり、２次電池の残容量である充電率により充電タイムアウト時間を変えることは広く知られている（特許文献１参照）。
【先行技術文献】
【特許文献】
【０００５】
【特許文献１】特開２０１０−８７４６３号公報
【発明の概要】
【発明が解決しようとする課題】
【０００６】
上述の特許文献１に開示された従来技術では、２次電池の残容量である充電率によりタイムアウト時間を決めているか、これは装置の電力供給元が安定して電力供給できる一意の供給ものの為である。
【０００７】
しかしながら、異なる種類の電力供給元から電力が来ることは考慮されていないので、複数の電力供給元から電力供給される場合は、充電率のみではタイムアウト時間を決められない。
【０００８】
そこで、本発明は、複数の電力供給元からの電力を受け取る事が可能な電子機器において、最適なタイムアウト時間を決める電子機器を提供することを目的とする。
【課題を解決するための手段】
【０００９】
上記の目的を達成するために、本発明に係る電子機器は、
複数の電力供給元から電力を受け取り、電力を受け取る受電手段と、２次電池の充電を制御する充電制御手段と、前記受電手段で受け取った電源の種類を判別する電源判別手段と、充電時間を測定するカウンタと、所定のカウンタ値で充電を強制的に終了する為のタイムアウト時間を決定する決定手段と、を備え、決定手段は電源判別手段によって判別された電力供給元の種類と充電状態又は／且つ受電状態に応じてタイムアウト時間を決定することを特徴とする。
【発明の効果】
【００１０】
本発明によれば、供給される電源の種類に応じて、最適にタイムアウト時間を決定することが出来る電子機器を提供することが可能となる。
【図面の簡単な説明】
【００１１】
【図１】本実施例におけるシステムの構成を示した図である。
【図２】本実施例におけるシステムのブロック構成を示した図である。
【図３】本実施例における充電タイムアウト時間の決定と充電処理を示した図である。
【図４】図３の電力供給元が非接触の場合の充電タイムアウト時間の決定処理を示した図である。
【図５】電力供給元が非接触の場合の電力と時間関係を示した図である。
【図６】充電中に電子機器が動作した場合の充電タイムアウト時間決定と充電処理を示した図である。
【発明を実施するための形態】
【００１２】
以下に、本発明の好ましい実施の形態を、添付の図面に基づいて詳細に説明するが、本実施形態に限定されず、その要旨の範囲内で種々の変形及び変更が可能である。
【００１３】
（実施例１）
以下、本発明の実施例１について、図面を参照して詳細に説明する。
【００１４】
実施例に係るシステム構成は、図１に示すように、電子機器２００と、無線で電子機器２００に電力を供給する給電機器１００と、有線で固定の電力を供給する電力供給元とを有する。
【００１５】
有線で固定の電力を供給する電力供給元とは、例えば、電子機器２００の専用ＡＣアダプタである。
【００１６】
電子機器２００は、２つの電力供給元からの電力を受け取る事が可能であり、１つの供給元からでも、複数の供給元からでも電力を受け取る事が可能である。
【００１７】
給電機器１００と電子機器２００との距離が所定の範囲内に存在する場合において、受電アンテナ２０１を有する電子機器２００は、受電アンテナ２０１を介して給電機器１００から出力される電力を無線により受け付ける。
【００１８】
電子機器２００は固定の電力供給元がアダプタコネクタ２１７に物理的に接続されると電力を受け付ける。電子機器２００は接続先により可変な電力供給元がＵＳＢコネクタ２１９に物理的に接続されると電力を受け付ける。さらに、電子機器２００は、無線／有線の電力によって、電子機器２００のメインとなるＣＰＵ２０５システムを動作させたり、電子機器２００に装着された２次電池２１０の充電を行ったりする。
【００１９】
給電機器１００と電子機器２００との距離が所定の範囲内に存在しない場合、電子機器２００は、受電アンテナ２０１を有している場合であっても、給電機器１００から電力を受け付けることができない。なお、所定の範囲とは、電子機器２００が給電機器１００から供給される電力によって、通信を行うことができる範囲である。
【００２０】
電子機器２００は、カメラ等の撮像装置であってもよく、音声データや映像データの再生を行う再生装置であってもよい。また、電子機器２００は、携帯電話やスマートフォンのようなモバイル機器であってもよいものとする。また、電子機器２００は、電池２１１を含む電池パックであってもよい。また、電子機器２００は、給電機器１００から供給される電力によって駆動する車のような装置であってもよい。また、電子機器２００は、テレビジョン放送を受信する装置、映像データを表示するディスプレイ、またはパーソナルコンピュータであってもよいものとする。また、電子機器２００は、電池２１１が装着されていない場合であっても、給電機器１００から供給される電力を用いて動作する装置であってもよい。
【００２１】
図２は給電機器１００と、電子機器２００と有する本システムのブロック構成を示した図である。
【００２２】
給電機器１００は、図２に示すように、発振器１０１、電力送信回路１０２、整合回路１０３、変復調回路１０４、ＣＰＵ１０５、ＲＯＭ１０６、ＲＡＭ１０７、給電アンテナ１０８、タイマー１０９、記録部１１０及び記憶媒体１１０ａ、変換部１１１を有する。さらに、給電機器１００は、図２に示すように通信部１１２、表示部１１３及び操作部１１４を有する。
【００２３】
発振器１０１は、不図示のＡＣ電源から変換部１１１を介して供給される電力をＣＰＵ１０５によって設定された目標値に対応する電力に変換して電子機器２００に供給するために用いられる高い周波数を発振する。なお、発振器１０１は、水晶振動子等を用いる。
【００２４】
電力送信回路１０２は、変換部１１１から供給される電力と、発振器１０１によって発振される周波数とに応じて、給電アンテナ１０８を介して電子機器２００に供給するための電力を生成する。電力送信回路１０２は、内部にＦＥＴ等を有し、発振器１０１によって発振される周波数に応じて、内部のＦＥＴのソース・ドレインの端子間に流れる電流を制御することにより、電子機器２００に供給するための電力を発生させる。なお、電力送信回路１０２によって生成された電力は、整合回路１０３を介して、給電アンテナ１０８に供給される。
【００２５】
また、電力送信回路１０２によって生成される電力には、第１の電力と、第２の電力とがある。
【００２６】
第１の電力は、給電機器１００が電子機器２００を制御するためのコマンドを電子機器２００に送信するための電力である。第２の電力は、第１の電力よりも大きい電力である。例えば、第１の電力は、２Ｗ以下の電力であり、第２の電力は、３Ｗ〜１０Ｗまでの電力である。
【００２７】
なお、給電機器１００が第１の電力を電子機器２００に供給している場合、給電機器１００は、コマンドを電子機器２００に送信することができる。しかし、給電機器１００が第２の電力を電子機器２００に供給している場合、給電機器１００は、コマンドを電子機器２００に送信することができない。
【００２８】
また、第１の電力は、給電機器１００が電子機器２００以外のどのような装置に対しても、給電機器１００がコマンドを送信できるようにＣＰＵ１０５によって設定される電力である。
【００２９】
ＣＰＵ１０５は、電子機器２００に供給するための電力を、第１の電力及び第２の電力のいずれか一つに切り替えるように電力送信回路１０２を制御する。
【００３０】
整合回路１０３は、可変コンデンサ、可変コイルや抵抗等の素子を有する。整合回路１０３は、これらの素子に応じて、電力送信回路１０２と給電アンテナ１０８との間のインピーダンスマッチングを行う。整合回路１０３は、発振器１０１によって発振される周波数に応じて、給電アンテナ１０８と、ＣＰＵ１０５により選択された給電の対象となる装置が有する受電アンテナとの間で共振を行うための共振回路でもある。
【００３１】
ＣＰＵ１０５は、発振器１０１によって発振される周波数を、共振周波数ｆに設定するために、不図示の可変コンデンサ及び不図示の可変コイルの値を制御する。
【００３２】
なお、共振周波数ｆは、給電機器１００と、給電機器１００が給電の対象となる装置とが共振を行うための周波数である。
【００３３】
給電機器１００と、給電機器１００が給電の対象となる装置とが共振を行うための周波数を以下「共振周波数ｆ」と呼ぶ。
【００３４】
下記の式１は、共振周波数ｆを示す対象物とする。Ｌは、整合回路１０３のインダクタンス、Ｃは整合回路１０３のキャパシタンスを示す。
【００３５】
【数１】
2017121099.tif 000003
【００３６】
また、整合回路１０３は、可変コンデンサ以外にもさらにコンデンサを有していてもよく、可変コイル以外にさらにコイルを有していてもよく、可変抵抗以外にさらに抵抗を有していてもよい対象物とする。
【００３７】
なお、ＣＰＵ１０５は、不図示の可変コンデンサ及び可変コイルの値を制御することによって、発振器１０１によって発振される周波数を、共振周波数ｆに設定するようにした。しかし、これ以外の方法によって、発振器１０１によって発振される周波数を、共振周波数ｆに設定するようにしてもよい。
【００３８】
例えば、ＣＰＵ１０５は、整合回路１０３に含まれるコンデンサと、整合回路１０３に含まれるコイルとの接続を切り替えることによって、発振器１０１によって発振される周波数を、共振周波数ｆに設定するようにしてもよい。
【００３９】
なお、共振周波数ｆは、商用周波数である５０／６０Ｈｚであってもよく、１０〜数百ｋＨｚであってもよく、１０ＭＨｚ前後の周波数であってもよい。
【００４０】
さらに、整合回路１０３は、給電アンテナ１０８に流れる電流及び給電アンテナ１０８に供給される電圧の変化を検出することもできる。
【００４１】
なお、発振器１０２によって発振される周波数が共振周波数ｆに設定された状態において、電力生成部１０３によって生成された電力は、整合回路１０４を介して給電アンテナ１０６に供給される。
【００４２】
また、整合回路１０３は給電アンテナ１０６によって出力される電力の進行波の振幅電圧Ｖ１を示す情報と、給電アンテナ１０６によって出力される電力の反射波の振幅電圧Ｖ２を示す情報とを検出する。反射電力検出回路１１２によって検出された振幅電圧Ｖ１を示す情報及び振幅電圧Ｖ２を示す情報は、ＣＰＵ１０７に供給される。
【００４３】
ＣＰＵ１０７は、反射電力検出回路１１２から供給された振幅電圧Ｖ１を示す情報及び振幅電圧Ｖ２を示す情報をＲＡＭ１０９に記録する。ＣＰＵ１０７は、進行波の振幅電圧Ｖ１と、反射波の振幅電圧Ｖ２とによって、電圧反射係数ρを取得する。さらに、ＣＰＵ１０７は、電圧反射係数ρによって電圧定在波比ＶＳＷＲ（Ｖｏｌｔａｇｅ  Ｓｔａｎｄｉｎｇ  Ｗａｖｅ  Ｒａｔｉｏ）を算出する。
【００４４】
電圧定在波比ＶＳＷＲは、給電アンテナ１０６から出力される電力の進行波と、給電アンテナ１０６から出力される電力の反射波との関係を示す値である。電圧定在波比ＶＳＷＲの値が１に近いほど、反射電力が少なく、給電機器１００から外部の電子機器に対して供給される電力の損失が少なく、電力の伝送効率が良い状態であることを示す。
【００４５】
下記の式２は、電圧反射係数ρを示すものとする。
【００４６】
【数２】
2017121099.tif 000004
【００４７】
下記の式３は、電圧定在波比ＶＳＷＲを示すものとする。
【００４８】
【数３】
2017121099.tif 000005
【００４９】
なお、以下、電圧定在波比ＶＳＷＲを「ＶＳＷＲ」と呼ぶ。
【００５０】
ＣＰＵ１０７は、算出したＶＳＷＲを用いて、給電機器１００の近傍に電子機器２００が置かれたか否かを判定する。
【００５１】
発振器１０１によって発振される周波数が、共振周波数ｆに設定された状態で、電力送信回路１０２によって生成された電力は、整合回路１０３を介して給電アンテナ１０８に供給される。
【００５２】
変復調回路１０４は、電子機器２００を制御するためのコマンドを電子機器２００に送信するために、予め定められたプロトコルに応じて、電力送信回路１０２によって生成された電力の変調を行う。予め定められたプロトコルとは、例えば、ＲＦＩＤ（Ｒａｄｉｏ  Ｆｒｅｑｕｅｎｃｙ  ＩＤｅｎｔｉｆｉｃａｔｉｏｎ）等のＩＳＯ／ＩＥＣ  １８０９２規格に準拠した通信プロトコルである。電力送信回路１０２によって発生された電力は、変復調回路１０４によって、電子機器２００と通信を行うためのコマンドとして、パルス信号に変換され、給電アンテナ１０８を介して電子機器２００に送信される。また、予め定められたプロトコルは、ＮＦＣ（Ｎｅａｒ  Ｆｉｅｌｄ  Ｃｏｍｍｕｎｉｃａｔｉｏｎ）の規格と互換性がある通信プロトコルであってもよい。
【００５３】
電子機器２００に送信されたパルス信号は、電子機器２００により解析されることによって、「１」の情報と、「０」の情報とを含むビットデータとして検出される。なお、コマンドには、宛先を識別するための識別情報及びコマンドによって指示される動作を示すコマンドコード等が含まれる。
【００５４】
なお、ＣＰＵ１０５は、コマンドに含まれる識別情報を変更するように変復調回路１０４を制御することによって、電子機器２００だけにコマンドを送信することもできる。また、ＣＰＵ１０５は、コマンドに含まれる識別情報を変更するように変復調回路１０４を制御することによって、電子機器２００及び電子機器２００以外の装置に対しても、コマンドを送信することもできる。
【００５５】
変復調回路１０４は、電力送信回路１０２によって発生された電力を、振幅変位を利用したＡＳＫ（Ａｍｐｌｉｔｕｄｅ  Ｓｈｉｆｔ  Ｋｅｙｉｎｇ）変調によって、パルス信号に変換する。ＡＳＫ変調は、振幅変位を利用した変調であり、ＩＣカードと、ＩＣカードと無線により通信を行うカードリーダとの通信等で用いられる。
【００５６】
変復調回路１０４は、変復調回路１０４に含まれるアナログ乗算器や負荷抵抗をスイッチングさせることにより電力送信回路１０２によって生成された電力の振幅を変更することによって、パルス信号に変更する。変復調回路１０４によって変更されたパルス信号は、給電アンテナ１０８に供給され、コマンドとして電子機器２００に送信される。さらに、変復調回路１０４は、所定の符合化方式による符合化回路を有する。変復調回路１０４は、整合回路１０３において検出される給電アンテナ１０８に流れる電流の変化に応じて、電子機器２００に送信したコマンドに対する電子機器２００からの返答を符号化回路により復調することができる。このことによって、変復調回路１０４は、負荷変調方式によって電子機器２００に送信したコマンドに対する返答を、電子機器２００から受信することができる。変復調回路１０４は、ＣＰＵ１０５からの指示に応じてコマンドを電子機器２００に送信する。さらに、変復調回路１０４は、電子機器２００からの返答を受信した場合、受信した返答を復調してＣＰＵ１０５に供給する。
【００５７】
ＣＰＵ１０５は、ＡＣ電源と給電機器１００とが接続されている場合、ＡＣ電源から変換部１１１を介して供給される電力によって、給電機器１００の各部を制御する。また、ＣＰＵ１０５は、ＲＯＭ１０６に記憶されているコンピュータプログラムを実行することによって、給電機器１００の各部の動作を制御する。ＣＰＵ１０５は電力送信回路１０２を制御することにより電子機器２００に供給する電力を制御する。また、ＣＰＵ１０５は、変復調回路１０４を制御することにより、コマンドを電子機器２００に送信する。
【００５８】
ＲＯＭ１０６は、給電機器１００の各部の動作を制御するコンピュータプログラム及び各部の動作に関するパラメータ等の情報を記憶する。また、ＲＯＭ１０６は、表示部１１３に表示させるための映像データを記録している。
【００５９】
ＲＡＭ１０７は、書き換え可能な不揮発性メモリであり、一時的に給電機器１００の各部の動作を制御するコンピュータプログラム、各部の動作に関するパラメータ等の情報、変復調回路１０４によって電子機器２００から受信された情報等を記録する。
【００６０】
給電アンテナ１０８は、電力送信回路１０２により生成された電力を外部に出力するためのアンテナである。
【００６１】
給電機器１００は、給電アンテナ１０８を介して電子機器２００に電力を供給したり、コマンドを送信したりする。また、給電機器１００は、給電アンテナ１０８を介して電子機器２００からコマンド、電子機器２００に送信したコマンドに対応する返答及び電子機器２００から送信された情報を受信する。
【００６２】
タイマー１０９は、現在の時刻や各部で行われる動作や処理に関する時間を計測する。また、タイマー１０９によって計測される時間に対する閾値は、ＲＯＭ１０６にあらかじめ記録されている。
【００６３】
記録部１１０は、通信部１１２によって受信された映像データや音声データ等のデータを記録媒体１１０ａに記録する。
【００６４】
また、記録部１１０は、映像データや音声データ等のデータを記録媒体１１０ａから読み出し、ＲＡＭ１０７、通信部１１２及び表示部１１３に供給することもできる。
【００６５】
なお、記録媒体１１０ａは、ハードディスクやメモリカード等であってもよく、給電機器１００に内蔵されていても、給電機器１００に着脱可能な外部の記録媒体であってもよい。
【００６６】
変換部１１１は、不図示のＡＣ電源と給電機器１００とが接続されている場合、不図示のＡＣ電源から供給される交流電力を直流電力に変換し、変換した直流電力を給電機器１００全体に供給する。
【００６７】
通信部１１２は、ＲＡＭ１０７及び記録媒体１１０ａのいずれか一つから供給された映像データや音声データを電子機器２００に送信する。また、通信部１１２は、電子機器２００から給電機器１００に送信される映像データや音声データを受信する。例えば、通信部１１２は、ＵＳＢやＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）等のインターフェースに応じて、通信を行ってもよい。また、通信部１１２は、無線通信方式に準拠した通信を行ってもよい対象物とする。また、例えば、通信部１１２は、無線ＬＡＮ規格に規定されている８０２．１１ａ、ｂ、ｇ、ｎ規格に応じて無線通信を行っても良いもよい。通信部１１２は、無線ＬＡＮ規格に準拠した信号に変調することにより映像データや音声データの送信や受信を行ってもよい。
【００６８】
なお、通信部１１２は、変復調回路１０４によりコマンドが給電アンテナ１０８を介して電子機器２００に送信されている場合であっても、電子機器２００から映像データや音声データを受信したり、映像データや音声データを電子機器２００に送信したりできる。また、通信部１１２は、コマンドに対応する返答が給電アンテナ１０８を介して電子機器２００から変復調回路１０４により受信されている場合でも、電子機器２００から映像データや音声データを受信したり、映像データや音声データを電子機器２００に送信したりできる。
【００６９】
表示部１１３は、記録部１１０によって記録媒体１１０ａから読み出される映像データ、ＲＡＭ１０７から供給される映像データ、ＲＯＭ１０６から供給される映像データ及び通信部１１２から供給される映像データのいずれか一つの映像データを表示する。表示部１１３は、記録媒体１１０ａから読み出された映像データやＲＯＭ１０６にあらかじめ記録されているアイコンやメニュー画面等を表示することもできる。
【００７０】
操作部１１４は、給電機器１００を操作するためのユーザインターフェースを提供する。操作部１１４は、給電機器１００を操作するための電源ボタン、給電機器１００の動作モードを切り換えるモード切換ボタン、給電機器１００の設定を変更するための設定変更ボタン等を有し、各ボタンはスイッチ、タッチパネル等により構成される。ＣＰＵ１０５は、操作部１１４を介して入力されたユーザの指示に従って給電機器１００を制御する。
【００７１】
なお、操作部１１４は、不図示のリモートコントローラから受信したリモコン信号に応じて給電機器１００を制御する対象物であってもよい。
【００７２】
給電機器１００は、さらに不図示のスピーカ部を有していてもよい。不図示のスピーカ部は、記録部１１０によって記録媒体１１０ａから読み出される音声データ、ＲＯＭ１０６から供給される音声データ、ＲＡＭ１０７から供給される音声データ及び通信部１１２から供給される音声データのいずれか一つを出力する対象物とする。
【００７３】
給電機器１００が電子機器２００に対して給電アンテナ１０８を介して電力を供給する場合、電力送信回路１０２、整合回路１０３、変復調回路１０４及び給電アンテナ１０８によって、第１の電力及び第２の電力のいずれか一つが電子機器２００に出力される。
【００７４】
給電機器１００が電子機器２００に対して給電アンテナ１０８を介してコマンドを送信する場合、電力送信回路１０２、整合回路１０３、変復調回路１０４及び給電アンテナ１０８によって、第１の電力と、コマンドとが電子機器２００に供給される。
【００７５】
給電機器１００が映像データ及び音声データの少なくとも一つを電子機器２００に送信する場合、通信部１１２によって、映像データ及び音声データの少なくとも一つが電子機器２００に送信される。
【００７６】
給電機器１００が映像データ及び音声データの少なくとも一つを電子機器２００から受信する場合、通信部１１２によって、映像データ及び音声データの少なくとも一つが電子機器２００から受信される。
【００７７】
なお、通信部１１２が映像データ及び音声データの少なくとも一つを電子機器２００に送信している場合であっても、給電機器１００は、コマンドや情報を、給電アンテナ１０８を介して電子機器２００に送信することができる。また、通信部１１２が映像データ及び音声データの少なくとも一つを電子機器２００に送信している場合であっても、給電機器１００は、コマンドに対応する返答や情報を、給電アンテナ１０８を介して電子機器２００から受信することができる。
【００７８】
また、通信部１１２が映像データ及び音声データの少なくとも一つを電子機器２００から受信している場合であっても、給電機器１００は、コマンドや情報を、給電アンテナ１０８を介して電子機器２００に送信することができる。また、通信部１１２が映像データ及び音声データの少なくとも一つを電子機器２００から受信している場合であっても、給電機器１００は、コマンドに対応する返答や情報を、給電アンテナ１０８を介して電子機器２００から受信することができる。
【００７９】
次に、図２を参照して、電子機器２００の構成の一例について説明を行う。なお、電子機器２００の一例として、デジタルスチルカメラを挙げ、以下、説明を行う。
【００８０】
電子機器２００は受電アンテナ２０１、整合回路２０２、整流平滑回路２０３、変復調回路２０４、ＣＰＵ２０５、ＲＯＭ２０６、ＲＡＭ２０７、レギュレータ２０８、充電制御部２０９、２次電池２１０及びタイマー２１１を有する。さらに、電子機器２００は、通信部２１２、撮像部２１３、記録部２１４、記憶媒体２１４ａ、操作部２１５、切換回路２１６、アダプタコネクタ２１７を有する。
【００８１】
受電アンテナ２０１は、給電機器１００から供給される電力を受電するためのアンテナである。電子機器２００は、受電アンテナ２０１を介して、給電機器１００から電力を受電したり、コマンドを受信したりする。また、電子機器２００は、受電アンテナ２０１を介して給電機器１００を制御するためのコマンド及び給電機器１００から受信したコマンドに対応する返答を送信する。
【００８２】
整合回路２０２は、受電アンテナ２０１と変復調回路及び整流平滑回路２０３とインピーダンスマッチングを行うための回路である。また、給電機器１００の共振周波数ｆと同じ周波数で受電アンテナ２０１が共振するための回路でもある。整合回路２０２は、整合回路１０３と同様にコンデンサ、コイル、可変コンデンサ、可変コイル及び抵抗等を有する。整合回路２０２は、給電機器１００の共振周波数ｆと同じ周波数で受電アンテナ２０１が共振するように、可変コンデンサのキャパシタンスの値、可変コイルのインダクタンスの値及び可変抵抗のインピーダンスの値を制御する。また、整合回路２０２は、受電アンテナ２０１によって受電される電力を整流平滑回路２０３に供給する。
【００８３】
整流平滑回路２０３は、受電アンテナ２０１によって受電された電力からコマンド及びノイズを取り除き、直流電力を生成する。さらに、整流平滑回路２０３は、生成した直流電力を切換え回路２１６を通してレギュレータ２０８に供給する。整流平滑回路２０３は、受電アンテナ２０１によって受電される電力から取り除いたコマンドを変復調回路２０４に供給する。
【００８４】
なお、整流平滑回路２０３は、整流用のダイオードを有し、全波整流及び半波整流のいずれか一つにより直流電力を生成する。
【００８５】
変復調回路２０４は、整流平滑回路２０３から供給されたコマンドを給電機器１００と予め決められた通信プロトコルに応じて解析し、コマンドの解析結果をＣＰＵ２０５に供給する。
【００８６】
給電機器１００から電子機器２００に対して電力が供給されている場合、ＣＰＵ２０５は、コマンド、コマンドに対する返答及び所定の情報を給電機器１００に送信するために変復調回路２０４に含まれる負荷を変動させるように変復調回路２０４を制御する。変復調回路２０４に含まれる負荷が変化する場合、給電アンテナ１０８に流れる電流が変化する。これにより、給電機器１００は、給電アンテナ１０８に流れる電流の変化を検出することによって、電子機器２００から送信されるコマンド、コマンド対する返答及び所定の情報を受信する。
【００８７】
ＣＰＵ２０５は、ＲＯＭ２０６に記憶されているコンピュータプログラムを実行することによって、電子機器２００の各部の動作を制御する。また、ＣＰＵ２０５は、変復調回路２０４から供給された解析結果に応じて変復調回路２０４が受信したコマンドがどのコマンドであるかを判定し、受信したコマンドに対応するコマンドコードによって指定されている処理や動作を行うように電子機器２００を制御する。ＣＰＵ２０５はタイマー２１１のカウント値を用いて、現在の時刻や各部で行われる動作や処理に関する時間を計測する。ＣＰＵ２０５はタイマー２１１のカウント値を用いて充電時間を計測し、タイマー値が閾値になると、２次電池２１０が満充電では無くても充電制御部２０９を制御して充電を終了する。
【００８８】
ＲＯＭ２０６は、受電装置２００の各部の動作を制御するコンピュータプログラム及び各部の動作に関するパラメータ等の情報を記憶する。また、ＲＯＭ２０６には、給電機器１００と受電装置２００がお互いを認証する際に使用する受電装置２００の識別情報、受電装置２００のデバイス情報及び表示データ等が記録される。受電装置２００の識別情報とは、例えば、受電装置２００のＩＤを示す情報や受電装置２００の通信でのアドレスを示す情報である。受電装置２００のデバイス情報には、受電装置２００のメーカー名、受電装置２００の装置名、受電装置２００の製造年月日等が含まれる。またＲＯＭ２０６には電力供給元が有線の場合と無線の場合それぞれの空の２次電池２１０を充電した場合のデフォルト充電タイムアウト時間（ａ）が記憶されている。
【００８９】
ＲＡＭ２０７は、書き換え可能な不揮発性メモリであり、一時的に受電機器２００の各部の動作を制御するコンピュータプログラム、各部の動作に関するパラメータ等の情報、給電機器１００から送信された情報等を記録する。
【００９０】
レギュレータ２０８は、切換回路２１６から供給される電力の電圧及び２次電池２１０から供給される電力の電圧のいずれか一つがＣＰＵ２０５によって設定された電圧値になるように制御する。なお、レギュレータ２０８は、スイッチングレギュレータであっても、リニアレギュレータであっても良い対象物とする。レギュレータ２０８は、２次電池２１０から電力が供給されていないが、切換回路２１６から電力が供給されている場合、切換え回路からの電力を電子機器２００全体に供給する。レギュレータ２０８は、切換回路２１６から電力が供給されていないが、２次電池２１０から電力が供給されている場合、２次電池２１０から供給される電力を電子機器２００全体に供給する。レギュレータ２０８は、切換回路２１６及び２次電池２１０から電力が供給されている場合、切換回路２１６と、２次電池２１０から供給される電力とを電子機器２００全体に供給することもできる。
【００９１】
充電制御部２０９は、レギュレータ２０８から電力を供給された場合、供給される電力に応じて、２次電池２１０の充電を行う。充電制御部２０９は、２次電池２１０の電圧レベルを検出することで２次電池２１０の残量を検出し、２次電池２１０の残量に応じた充電制御を行う。充電制御部２０９は、２次電池２１０が空の状態からある一定の残量（電圧）になるまでは急速充電よりも微小な電力で充電を行う。ある一定の残量以上であると、急速充電として定電圧定電流方式により２次電池２１０の充電を行う対象物とする。また充電制御部２０９は２次電池２１０の充電制御と放電制御の切り替えを制御し、レギュレータ２０８からの電力が所定の値よりも低い場合はバッテリを放電するように制御する。
【００９２】
２次電池２１０は、電子機器２００に着脱可能な２次電池である。また、２次電池２１０は、充電可能な２次２次電池であり、例えばリチウムイオン２次電池等である。２次電池２１０は、電子機器２００の各部に対して電力を供給することができる。ここで、不図示だが、電子機器２００の各部に電力を供給する際は、ＬＤＯ等の電圧変換を行うレギュレータが有ることが望ましい。
【００９３】
タイマー２１１は、現在の時刻や各部で行われる動作や処理に関する時間を計測する。また、タイマー２１１によって計測される時間に対する閾値は、ＲＯＭ２０６にあらかじめ記録されている。タイマー２１１は充電時間をカウントするが、計測される時間に対する閾値は、ＲＯＭ２０６に予め記録されている値である場合と、ＣＰＵが新たに判断した値を用いる場合がある。
【００９４】
通信部２１２は、ＲＯＭ２０６や記録媒体２１７ａに記録されている映像データや音声データを給電機器１００に送信したり、給電機器１００から映像データや音声データを受信したりもできる。通信部２１２は、通信部１１２と共通する通信プロトコルに応じて、映像データや音声データの送信や受信を行う。また、例えば、通信部２１２は、無線ＬＡＮとして規定されている８０２．１１ａ、ｂ、ｇ、ｎ規格に従って、映像データや音声データの送信や受信を行ってもよい。
【００９５】
撮像部２１３は、被写体の光学から映像データを生成するための撮像素子、撮像素子で生成された映像データに対して画像処理を行う画像処理回路、映像データを圧縮したり、圧縮された映像データを伸長したりする圧縮伸長回路等を有する。撮像部２１３は、被写体の撮影を行い、撮影の結果により得られた静止画像や動画像等の映像データを記録部２１４に供給する。
【００９６】
記録部２１４は、撮像部２１３から供給された映像データを記録媒体２１４ａに記録する。撮像部２１３は、被写体の撮影を行うための必要な構成をさらに有していてもよい。記録部２１４は、通信部２１２及び撮像部２１３のいずれか一つから供給された映像データや音声データ等のデータを記録媒体２１４ａに記録する。また、記録部２１４は、映像データや音声データ等のデータを記録媒体２１４ａから読み出し、ＲＡＭ２０７及び通信部２１２に供給することもできる。
【００９７】
なお、記録媒体２１４ａは、ハードディスクやメモリカード等であってもよく、給電機器１００に内蔵されていても、給電機器１００に着脱可能な外部の記録媒体であってもよい。
【００９８】
操作部２１５は、電子機器２００を操作するためのユーザインターフェースを提供する。操作部２１５は、電子機器２００を操作するための電源ボタン及び電子機器２００の動作しているモードを切り換えるモード切換ボタン等を有し、各ボタンはスイッチ、タッチパネル等により構成される。ＣＰＵ２０５は、操作部２１５を介して入力されたユーザの指示に従って電子機器２００を制御する。
【００９９】
なお、操作部２１５は、不図示のリモートコントローラから受信したリモコン信号に応じて電子機器２００を制御する対象物であってもよい。
【０１００】
切換回路２１６は、電子機器２００の電力供給元を検出し切り替えるための回路である。電力供給元には受電アンテナン２０１からの無線の電力を、整合回路２０２を通して、整流平滑回路２０３で平滑された無線電力と、アダプタコネクタ２１７からの有線電力であるＡＣアダプタ電源とがある。これら入力された電力をレギュレータ２０８へ出力する。切換回路２１６はＣＰＵ２０５からの指示により、電力供給元を切り替えることもできるが、ＣＰＵ２０５からの指示がない場合は予め決められた電力供給元の電力をレギュレータ２０８へ出力する。複数の電力供給元からの電力供給がある場合、予め決められた優先順位でレギュレータ２０８へ電力が供給され、レギュレータ２０８から電子機器２００の各部に電力が供給される。
【０１０１】
ＣＰＵ２０５が複数の電力供給元から切換回路２１６の電源を切り替える場合は、電力供給元ＣＰＵ２０５にレギュレータ２０８からの電力が供給されると、ＣＰＵ２０５は切換回路２１６に電力供給元の切り替えを指示し、電力供給を切り替える。電力供給元の検出には、アダプタコネクタ２１７、整流平滑回路２０３からの電圧レベルにより検出する。
【０１０２】
電力の切り替えは機械式のリレースイッチやＦＥＴ（Ｆｉｅｌｄ  Ｅｆｆｅｃｔ  Ｔｒａｎｓｉｓｔｏｒ）により切り替え動作を行う。アダプタコネクタ２１７は電子機器２００の専用ＡＣアダプタのコネクタであり、ＡＣアダプタケーブルと物理的に接続される。ＡＣアダプタからの電力はアダプタコネクタ２１７を通して、切換回路２１６へ有力され、レギュレータ２０８と通して、電子機器２００全体に電力が供給される。
【０１０３】
なお、給電アンテナ１０８及び受電アンテナ２０１は、ヘリカルアンテナであっても、スパイラルアンテナであってもよく、メアンダラインアンテナ等の平面状のアンテナであってもよい対象物とする。
【０１０４】
また、実施例において、給電機器１００によって行われる処理は、給電機器１００が電磁界結合によって電子機器２００に対して無線で電力を供給するシステムにおいても適用できる対象物とする。同様に、実施例において、電子機器２００によって行われる処理は、給電機器１００が電磁界結合によって電子機器２００に対して無線で電力を供給するシステムにおいても適用できる対象物とする。
【０１０５】
また、給電アンテナ１０８として電極を給電機器１００に設け、受電アンテナ２０１として電極を電子機器２００に設けることにより、給電機器１００が電界結合により電力を電子機器２００に供給するシステムにおいても、本発明を適用することができる。
【０１０６】
また、給電機器１００が電磁誘導によって無線で電子機器２００に電力を供給するシステムにおいても、本発明を適用できる対象物とする。
【０１０７】
また、実施例において、給電機器１００は、電子機器２００に対して無線で電力を送信し、電子機器２００は、給電機器１００から無線で電力を受電する対象物とした。しかし、「無線」を「非接触」や「無接点」と言い換えてもよい対象物とする。
【０１０８】
（タイムアウト動作処理）
次に実施例１において、本実施形態の電子機器２００が２次電池２１０を充電する処理と充電タイムアウト時間を決定する処理の説明をする。ここで、ＣＰＵ２０５は充電制御部２０９を用いて２次電池２１０を充電するが、所定の時間よりも長い時間充電した場合、２次電池の異常とＣＰＵ２０５が判断し、タイムアウト処理として充電制御部２０９を用いて充電を終了する。充電タイムアウト時間とは前述の所定の時間のことである。
【０１０９】
図３は電子機器２００の充電タイムアウト時間の決定と充電処理を示した図である。
【０１１０】
Ｓ３０１として、ＣＰＵ２０５は切替回路２１６に入力されて電圧により、電源から電力が供給されているか否かを検出する。ＣＰＵ２０５はＳ３０１で電力が供給されていると検出すると、Ｓ３０２へ進む。
【０１１１】
Ｓ３０２として、ＣＰＵ２０５は充電制御部２０９を通して２次電池２１０の電圧から電池残量を検出し、２次電池２１０の残量情報をＲＡＭ２０７に格納してからＳ３０３へと進む。
【０１１２】
Ｓ３０３として、ＣＰＵ２０５はＳ３０２で検出した電池残量から２次電池２１０が満充電状態か否かを判断する。ＣＰＵ２０５が満充電であると判断した場合、本充電タイムアウト時間の決定と充電処理を終了する。ＣＰＵ２０５が満充電ではないと判断した場合は、Ｓ３０４へと進む。
【０１１３】
Ｓ３０４として、ＣＰＵ２０５は切換回路２１６により検出した電力供給元が無線であるか否かを判断する。ＣＰＵ２０５が電力供給元は無線であると判断した場合は、Ｓ３１１へと進み、無線ではないと判断した場合は、Ｓ３０５へと進む。ここで、Ｓ３０４において、ＣＰＵ２０５は電力供給元がＡＣアダプタ電源と無線電力の両方であると判断した場合は、安定した電力供給元であるＳ３０５へと進み、ＡＣアダプタ電源の電力で充電処理を行う。但し、ＡＣアダプタ電源が無線電力よりも小さい場合はＳ３０５ではなくＳ３１１へと進み、無線電力で充電処理を行っても良い。
【０１１４】
Ｓ３０５として、ＣＰＵ２０５はＲＯＭ２０６に記憶されている電力供給元がＡＣアダプタの場合のデフォルト充電タイムアウト時間（ａ）を読み出し、Ｓ３０６へ進む。
【０１１５】
Ｓ３０６として、ＣＰＵ２０５はＳ３０２でＲＡＭ２０７に格納した２次電池２１０の残量情報と、Ｓ３０５でＲＯＭ２０６から読みだした値を比較することで充電タイムアウト時間を決定し、充電タイムアウト時間をＲＡＭＳ３０７に格納し、Ｓ３０７へと進む。２次電池の残量情報とデフォルト充電タイムアウト時間（ａ）情報からの充電タイムアウト時間（ｃ）の決め方は、例えば、デフォルト充電タイムアウト（ａ）時間が１２０分であり、２次電池２１０の残量が５０％であった場合、ＣＰＵ２０５は１２０分の半分の６０分と算出する。
【０１１６】
Ｓ３０７として、ＣＰＵ２０５は充電制御部２０９により２次電池２１０への充電処理を開始し、Ｓ３０８へと進む。
【０１１７】
Ｓ３０８として、ＣＰＵ２０５はタイマー２１１を制御してカウント動作を始め、Ｓ３０９へと進む。
【０１１８】
Ｓ３０９として、ＣＰＵ２０５はタイマー２１１のカウント値とＲＡＭＵ２０７に格納されたＳ３０６で決定した充電タイムアウト時間（ｃ）とを比較して、充電タイムアウト時間か否かを判断する。ＣＰＵ２０５がタイマー２１１のカウント値が充電タイムアウト時間であると判断した場合は、Ｓ３１６へと進む。ＣＰＵ２０５がタイマー２１１のカウント値が充電タイムアウト時間（ｃ）ではないと判断すると、Ｓ３１０へと進む。
【０１１９】
Ｓ３１０として、ＣＰＵ２０５は充電制御部２０９と通して２次電池２１０の電圧から充電状態が満充電であると判断した場合、Ｓ３１６へと進む。ＣＰＵ２０５は充電制御部２０９と通して２次電池２１０の電圧から充電状態が満充電ではないと判断した場合、Ｓ３０９へ戻り、タイムアウト時間（ｃ）か否かを再判断する。
【０１２０】
Ｓ３１１として、ＣＰＵ２０５はＳ３０４で電力供給元が無線であると判断したので、ＣＰＵ２０５はＲＯＭ２０６に格納されたている無線のデフォルト充電タイムアウト時間（ａ）を読み出し、Ｓ３１２へと進む。
【０１２１】
Ｓ３１２として、ＣＰＵ２０５はＲＡＭ２０７に格納された２次電池２１０の電池残量とＳ３１１で読み出したデフォルト充電タイムアウト時間（ａ）から仮の充電タイムアウト時間（ｂ）を決定し、ＲＡＭ２０７へ格納してからＳ３１３へと進む。２次電池の残量情報とデフォルト充電タイムアウト時間（ａ）情報からの仮の充電タイムアウト時間（ｂ）の決め方は、例えば、デフォルト充電タイムアウト時間（ａ）が１２０分であり、２次電池２１０の残量が５０％であった場合、ＣＰＵ２０５は１２０分の半分の６０分を仮の充電タイムアウト時間（ｂ）と算出する。
【０１２２】
Ｓ３１３として、ＣＰＵ２０５は充電制御部２０９と制御して２次電池２１０の充電を開始し、Ｓ３１４へと進む。
【０１２３】
Ｓ３１４として、ＣＰＵ２０５はタイマー２１１を制御して充電時間のカウント動作を行い、Ｓ３１５へと進む。
【０１２４】
Ｓ３１５として、ＣＰＵ２０５は電力供給元が無線の場合の充電タイムアウト時間決定処理を行い、Ｓ３１６へと進む。電力供給元が無線の場合の充電タイムアウト時間決定処理の詳細は図４を用いて後述する。
【０１２５】
Ｓ３１６として、ＣＰＵ２０５は２次電池２１０の充電状態が満充電もしくはタイマー２１１のカウント値が所定の充電タイムアウト時間であるので、充電動作を終了し、本充電タイムアウト時間の決定と充電処理動作を終了する。
【０１２６】
（Ｓ３１５：無線の場合の充電タイムアウト時間決定処理）
Ｓ３１５の電力供給元が無線の場合の充電タイムアウト時間決定処理を、図４、図５を用いて説明する。
【０１２７】
図４は電力供給元が無線の場合の充電タイムアウト時間決定処理を示した図であるが、この説明の前に図５を用いて、電子機器２００と給電機器１００との間の通信と給電の関係を説明する。図５の横軸は時間軸であり、縦軸は電力である。
【０１２８】
図５は給電機器１００が出力した無線電力を示しており、給電機器１００は電子機器２００と通信するために１Ｗ程度の電力（第１の電力）を出力し、機器間で認証処理を行う。給電機器１００は機器認証が終わり、電子機器２００が電力を供給しても良い機器であると判断すると８Ｗ程度の電力（第２の電力）を出力する。電子機器２００は受け取った電力で２次電池２１０を充電する。給電機器１００は一定期間後、電子機器２００の充電の状態を知る為に、電子機器２００に対し通信を行う為に、通信用の電力である１Ｗ（第１の電力）を出力し電子機器２００と通信を行う。ここで一定期間とは例えば５秒後である。通信（第１の電力出力）と給電（第２の電力出力）を２次電池２１０が満充電になるまで繰り返す。
【０１２９】
図４に戻り、電力供給元が無線の場合の充電タイムアウト時間決定処理を説明する。図４（ａ）は切換回路２１６で受電した無線電力を用いて充電タイムアウト時間（ｄ）を決定する場合であり、図４（ｂ）は充電制御部２０９で充電した電力を用いて充電タイムアウト時間（ｅ）を決定する場合である。
【０１３０】
図４（ａ）を用いて、ＣＰＵ２０５が切換回路２１６で受電した無線電力を用いて充電タイムアウト時間（ｄ）を決定する場合の処理を説明する。
【０１３１】
Ｓ４０１ａとして、ＣＰＵ２０５が受電アンテナ２０１から整合回路２０２と変復復調回路２０４を通し、給電装置１００からコマンドが遅れてきて通信するのを待つ。通信するＳ４０２ａへ進む。
【０１３２】
Ｓ４０２ａとして、ＣＰＵ２０５は切換回路２１６に入力される電力により、通信電力である第１の電力を受け取っている期間を検出し、Ｓ４０３ａに進む。
【０１３３】
Ｓ４０３ａとして、ＣＰＵ２０５が受電アンテナ２０１から整合回路２０２と整流平滑回路２０３を通し、給電装置１００から給電用の電力が送られてくるのを待つ。給電用の電力を受け取ると、Ｓ４０４ａへ進む。
【０１３４】
Ｓ４０４ａといて、ＣＰＵ２０５は切換回路２１６に入力される電力により、第２の電力である受電電力値を検出し、Ｓ４０５ａとして、ＣＰＵ２０５は第２の電力を受け取っている期間を検出し、Ｓ４０６ａに進む。
【０１３５】
Ｓ４０６ａとして、ＣＰＵ２０５はＳ３１２で決定した仮の充電タイムアウト時間（ｂ）とＳ４０２ａとＳ４０４ａ、Ｓ４０５ａで検出した通信時間と受電時間と受電電力から充電タイムアウト時間（ｄ）を算出し、Ｓ４０７ａへ進む。
【０１３６】
ここで充電タイムアウト時間（ｄ）の例を説明する。
【０１３７】
仮の充電タイムアウト時間（ｂ）が６０分、デフォルト充電タイムアウト時間（ａ）が１２０分の条件として受電電力が５Ｗ、受電期間が３．５秒、通信期間が０．５秒（つまり、４秒中３．５秒は受電）とする。Ｓ４０２ａとＳ４０４ａ、Ｓ４０５ａで検出した通信時間と受電時間と受電電力は、受電電力が４Ｗ、通信期間が０．２秒、受電期間が３．８秒（つまり、４秒中３．８秒は受電）とすると、充電タイムアウト時間（ｄ）は約５２秒（式は下記参照）となる。
充電タイムアウト時間（ｄ）＝仮充電タイムアウト時間（ｂ）６０分×（３．８秒／３．５秒）×（受電電力４Ｗ／デフォルト受電電力５Ｗ）
Ｓ４０７ａとして、ＣＰＵ２０５はタイマー２１１のカウント値がＳ４０６ａで決定した充電タイムアウト時間（ｄ）であるか否かを判断し、タイムアウト時間でない場合は、Ｓ４０８ａに進み、タイムアウト時間の場合は、本電力供給元が非接触の場合の充電タイムアウト時間の決定処理を終了する。
【０１３８】
Ｓ４０８ａとして、ＣＰＵ２０５は充電制御部２０９を通して、２次電池２１０が満充電か否かの判断を行い、満充電ではない場合はＳ４０１ａに戻り、満充電の場合は本電力供給元が非接触の場合の充電タイムアウト時間（ｄ）の決定処理を終了する。
【０１３９】
図４（ｂ）は充電制御部２０９で充電した電力を用いて充電タイムアウト時間（ｅ）を決定する場合であるが、基本的には図４の（ａ）と同じで受電の部分を充電に置き換えた処理であるので、同じ動作の部分は説明を割愛する。
【０１４０】
Ｓ４０２ｂとして、ＣＰＵ２０５は通信中の為に充電制御部２０９を通して２次電池を充電していない期間を検出する。
【０１４１】
Ｓ４０４ｂとして、ＣＰＵ２０５は充電制御部２０９を通して２次電池を充電している電力を検出し、Ｓ４０５ｂとして、ＣＰＵ２０５は充電制御部２０９を通して２次電池を充電している期間を検出する。
【０１４２】
Ｓ４０６ｂとして、ＣＰＵ２０５はＳ３１２で決定した仮の充電タイムアウト時間（ｂ）とＳ４０２ｂとＳ４０４ｂ、Ｓ４０５ｂで検出した（通信期間の為に）充電停止時間と受電時間と充電電力から充電タイムアウト時間（ｅ）を算出し、Ｓ４０７ｂへ進む。
【０１４３】
ここで充電タイムアウト時間（ｅ）の例を説明する。
【０１４４】
仮の充電タイムアウト時間（ｂ）が６０分、デフォルト充電タイムアウト時間（ａ）が１２０分の条件として充電電力が５Ｗ、充電時間が３．５秒、充電停止時間が０．５秒（つまり、４秒中３．５秒は充電）とする。Ｓ４０２ｂとＳ４０４ｂ、Ｓ４０５ｂで検出した充電停止時間と充電時間と充電電力は、充電電力が４Ｗ、充電停止期間が０．２秒、充電時間が３．８秒（つまり、４秒中３．８秒は充電）とすると、充電タイムアウト時間（ｅ）は約５２秒（式は下記参照）となる。
充電タイムアウト時間（ｅ）＝仮充電タイムアウト時間（ｂ）６０分×（３．８秒／３．５秒）×（充電電力４Ｗ／デフォルト充電電力５Ｗ）
このように、本発明の電子機器１００は電力供給元の種類と電力状態、充電状態により、充電タイムアウト時間（ｅ）を決めるので、最適な充電タイムアウト時間を提供することが可能である。
【０１４５】
（実施例２）
実施例１では充電動作中に電子機器１００が充電以外の動作（動作とは電子機器１００がカメラの場合が画像の表示や画像の転送のこと）していない場合を説明したが、実施例２として充電中に電子機器１００が充電中に充電以外の動作を行う場合の実施形態の例を示す。システムの構成は実施例１の図１、２と同じなので割愛する。
【０１４６】
図６は充電中に電子機器１００が充電中に充電以外の動作を行う場合の充電タイムアウト時間決定と充電処理を示した図である。
【０１４７】
充電中になる前の処理は図３のＳ３０８の終了時と図４のＳ４０６ａとＳ４０６ｂの終了時なので、割愛している。それぞれの処理の下に、充電中に動作した場合の充電タイムアウト時間の決定と充電処理として図６の処理がくることになる。
【０１４８】
Ｓ６０１として、ＣＰＵ２０５はタイマー２１１のカウント値が充電タイムアウト時間（充電タイムアウト時間（ｄ）又は（ｅ））であるか否かを判断し、充電タイムアウト時間ではない場合は、Ｓ６０２へ進み、充電タイムアウト時間である場合はＳ６１０へ進む。
【０１４９】
Ｓ６０２として、ＣＰＵ２０５は充電制御部２０９を通して、２次電池２１０が満充電状態か否かを判断し、満充電の場合はＳ６１０へ進み、満充電ではないと判断した場合はＳ６０３へ進む。
【０１５０】
Ｓ６０３として、ＣＰＵ２０５は充電制御部２０９と通して、２次電池２１０の充電を停止しているか否かを判断する。充電を停止している場合は、Ｓ６０４へ進む、充電を停止していない場合はＳ６０５へ進む。ここで、充電を停止しているケースとしては、電子機器２００が充電以外の動作を行って消費している為、電力供給元から受け取った電力を充電に供給できない場合である。
【０１５１】
Ｓ６０４として、ＣＰＵ２０５は充電を停止しているのでタイマー２１１のカウントアップを止めて、Ｓ６０５へ進む。これにより充電していない間の余分なタイマーのカウントアップをしないようにする。
【０１５２】
Ｓ６０５として、ＣＰＵ２０５は撮像部２１３の制御や通信部２１２の制御といった充電以外の動作を行っているか否かを判断する。充電以外の動作を行っている場合はＳ６０６へ進み、充電以外の動作を行っていない場合はＳ６０９へ進む。
【０１５３】
Ｓ６０６として、ＣＰＵ２０５は充電制御部２０９を通して２次電池２１０が放電しているか否かを判断する。放電の検出は、充電電流制御部２０９が２次電池２１０を充電する際の電流と逆向きに電流を流しているか否かをＣＰＵ２０５が検出することで判断する。ＣＰＵ２０５は２次電池２１０が放電していると判断するとＳ６０８へ進み、放電していないと判断するとＳ６０７へ進む。
【０１５４】
Ｓ６０７として、２次電池２１０は放電しないが、電子機器２００は充電以外の動作をしているので、ＣＰＵ２０５は充電制御部２０９を通して２次電池２１０を充電している電力が減少している割合に応じて、充電タイムアウト時間（ｇ）を延ばし、Ｓ６０９へと進む。充電タイムアウト時間（ｇ）の延ばし方は、例えば、通常の充電電力が３Ｗに対して、減少して２Ｗの場合は充電タイムアウト時間を１．５倍（３Ｗ／２Ｗ）とする。
【０１５５】
Ｓ６０８として、ＣＰＵ２０５は充電制御部２０９と通して２次電池２１０が放電している電力量の割合に応じて、充電タイムアウト時間（ｆ）を延ばし、Ｓ６０９へと進む。充電タイムアウト時間（ｆ）の延ばし方は、例えば、現在の充電タイムアウト時間が４０分であり、通常充電電力が２Ｗとして、放電電力量が１Ｗを３０分間とした場合、充電タイムアウト時間の延長は１５分（３０分×１Ｗ／２Ｗ）となり、充電タイムアウト時間（ｆ）は５５分（４０分＋１５分）とする。
【０１５６】
Ｓ６０９として、ＣＰＵ２０５はタイマー２１１のカウンタ値が充電タイムアウト時間になったか否かを判断し、充電タイムアウト時間（充電タイムアウト時間（ｆ）又は（ｇ））になった場合はＳ６１０へ進み、充電タイムアウト時間ではない場合はＳ６０２へ戻る。
【０１５７】
Ｓ６１０として、２次電池２１０が満充電状態であるか、タイマー２１１が充電タイムアウト時間であるので、ＣＰＵ２０５は充電制御部２０９を制御して２次電池２１０への充電動作を終了し、本充電中に電子機器１００が充電中に充電以外の動作を行う場合の充電タイムアウト時間決定と充電処理を終了する。
【０１５８】
このように本電子機器２００は充電中に充電以外の動作を行った場合でも充電タイムアウト時間と最適に決定することができる。
【符号の説明】
【０１５９】
１００  給電機器、２００  電子機器
【図１】
2017121099.tif 000006
【図２】
2017121099.tif 000007
【図３】
2017121099.tif 000008
【図４】
2017121099.tif 000009
【図５】
2017121099.tif 000010
【図６】
2017121099.tif 000011